(57)【要約】【課題】地震等の揺れによる圧縮力（捻れ力）がブレース材に加わっても、圧縮力（捻れ力）に抗する耐震性を有するブレース材の取付構造を提供する。【解決手段】上部構造体から垂下される吊りボルト３の上端部と天井部材に架設されるブレース材４の上端部に設けられる接続プレート１０と、吊りボルトと接続プレートを挟持し、吊りボルトが当接する面に断面円弧状の溝部２１を設けた一対のクランプ材２０と、吊りボルトと接続プレートを挟持した状態でクランプ材同士を締結するボルト３０及びナット４０と、を備えるブレース材の取付構造であって、溝部の曲率半径を吊りボルトの曲率半径よりも小さくすると共に、クランプ材が吊りボルトを挟持して溝部の開口縁部が吊りボルトに接触した際のクランプ材同士の隙間を接続プレートの厚さよりも大きくし、ボルト及びナットによりクランプ材同士を締結して溝部の両開口縁部に吊りボルトのねじ部３ａを噛み込ませる。【選択図】    図４
2015206221.tif 000002
【特許請求の範囲】
【請求項１】
上部構造体から垂下されて天井部材を吊り下げ支持する複数の吊りボルトを備える吊り天井において、
上記吊りボルトの上端部と上記天井部材に架設されるブレース材を備え、
上記ブレース材の上端部に設けられる接続プレートと、
上記吊りボルトの上端部に取り付けられて該吊りボルトと上記接続プレートを挟持すると共に、上記吊りボルトが当接する面にそれぞれ断面円弧状の溝部を設けた一対のクランプ材と、
上記吊りボルトと上記接続プレートを挟持した状態で上記クランプ材同士を締結するボルト及びナットと、を備える吊り天井用ブレース材の取付構造であって、
上記溝部の曲率半径を上記吊りボルトの曲率半径よりも小さくすると共に、上記クランプ材が上記吊りボルトを挟持して溝部の開口縁部が吊りボルトに接触した際のクランプ材同士の隙間を上記接続プレートの厚さよりも大きくし、上記ボルト及びナットにより上記クランプ材同士を締結して上記溝部の両開口縁部に上記吊りボルトのねじ部を噛み込ませる、ことを特徴とする吊り天井用ブレース材の取付構造。
【請求項２】
請求項１に記載の吊り天井用ブレース材の取付構造において、
上記クランプ材の上面を上記上部構造体又は上記吊りボルトに螺合された上部ナットに当接させ、
上記クランプ材の下面に上記吊りボルトに螺合されたロックナットを当接させる、ことを特徴とする吊り天井用ブレース材の取付構造。
【請求項３】
請求項１又は２に記載の吊り天井用ブレース材の取付構造において、
上記クランプ材は上記吊りボルトよりも軟質の材料からなる、ことを特徴とする吊り天井用ブレース材の取付構造。
【発明の詳細な説明】
【技術分野】
【０００１】
この発明は、吊り天井用ブレース材の取付構造に関するものである。
【背景技術】
【０００２】
従来から天井を構築する方法として、天井を構成する部材を上階床スラブや屋上スラブ等の上部構造体から垂下された吊りボルトの下端部に吊り下げ支持させることにより構築させる、いわゆる吊り天井が知られている。
【０００３】
近年、耐震性に関する意識の高まりと共に、この吊り天井に補強材としてブレース材を設ける方法が提示されている。
【０００４】
この種の吊り天井用ブレース材の取付構造として、天井構造体から垂下された吊りボルトに取り付けられるブレース連結具において、係止歯部を設けた係止部材と、連結部材とを有し、上記連結部材の連結部が吊りボルトに沿う下向きの状態では、押圧部は吊りボルトを係止体に押し当てず、上記係止部材は上記連結部材と共に吊りボルトに対して上下移動が可能となり、上記連結部材の上記連結部を吊りボルトから離れる方向に回動させると、上記連結部材の上記押圧部が吊りボルトを上記係止体に押し当て、この係止体の係止歯部が吊りボルトのねじ部と噛み合い係止され、上記係止部材が上記連結部材と共に吊りボルトに固定される構造が知られている（例えば、特許文献１参照）。
【０００５】
また、別の吊り天井用ブレース材の取付構造として、天井を支持する吊りボルトに取り付けられる取付部材と、該取付部材を吊りボルトに取り付けると共にブレース材の端部を取付部材に取り付けるためのボルト及びナットとを備え、上記取付部材は、吊りボルトを挟み込んで互いに向かい合うように配置される一対の板状部品により形成され、当該板状部品は、断面半円弧状の吊りボルト挿入凹部を備えると共に、ボルト通し孔を備え、上記吊りボルト挿入凹部の凹壁には、吊りボルトのねじ山が入り込むねじ山挿入溝が形成された構造のものが知られている（例えば、特許文献２参照）。
【先行技術文献】
【特許文献】
【０００６】
【特許文献１】特開２０１３−１９９８００号公報（図１，図１２）
【特許文献２】特開２０１４−５１８１８号公報（図１，図５，図６）
【発明の概要】
【発明が解決しようとする課題】
【０００７】
しかし、地震等の揺れの力が吊り天井に加わると、ブレース材には引張力だけでなく圧縮力が加わり、吊りボルトとブレース材の取付部に捻れ作用が生じる。ここで、この捻れ作用を捻れ力という。この圧縮力（捻れ力）がブレース材に加わると、特許文献１に記載されたブレース材の取付構造では、吊りボルトに取り付けられる部材（係止部材及び連結部材）が、吊りボルトに対して回転してしまい、圧縮力（捻れ力）に抗しきれなくなる懸念がある。また、圧縮力（捻れ力）により連結部材が吊りボルトに近づく方向に回動して吊りボルトとの固定が不十分となる懸念がある。
【０００８】
また、特許文献２に記載されたブレース材の取付構造においては、圧縮力（捻れ力）がブレース材に加わると、吊りボルトに取り付けられる部材（取付部材）が、吊りボルトに対して回転しまい、圧縮力（捻れ力）に抗しきれなくなる懸念がある。
【０００９】
この発明は、上記事情に鑑みてなされたもので、地震等の揺れによる圧縮力（捻れ力）がブレース材に加わっても、吊りボルトに対して回転せず、圧縮力（捻れ力）に抗する耐震性を有するブレース材の取付構造を提供することを目的とする。
【課題を解決するための手段】
【００１０】
上記課題を達成するために、この発明に係る吊り天井用ブレース材の取付構造は、上部構造体から垂下されて天井部材を吊り下げ支持する複数の吊りボルトを備える吊り天井において、上記吊りボルトの上端部と上記天井部材に架設されるブレース材を備え、上記ブレース材の上端部に設けられる接続プレートと、上記吊りボルトの上端部に取り付けられて該吊りボルトと上記接続プレートを挟持すると共に、上記吊りボルトが当接する面にそれぞれ断面円弧状の溝部を設けた一対のクランプ材と、上記吊りボルトと上記接続プレートを挟持した状態で上記クランプ材同士を締結するボルト及びナットと、を備える吊り天井用ブレース材の取付構造であって、  上記溝部の曲率半径を上記吊りボルトの曲率半径よりも小さくすると共に、上記クランプ材が上記吊りボルトを挟持して溝部の開口縁部が吊りボルトに接触した際のクランプ材同士の隙間を上記接続プレートの厚さよりも大きくし、上記ボルト及びナットにより上記クランプ材同士を締結して上記溝部の両開口縁部に上記吊りボルトのねじ部を噛み込ませる、ことを特徴とする（請求項１）。
【００１１】
このように構成することにより、一対のクランプ材の溝部間に吊りボルトを挟持すると共に、一対のクランプ材間にブレース材に設けられた接続プレートを挟持した状態で、ボルト及びナットによりクランプ材同士を締結することで、溝部の両開口縁部を吊りボルトのねじ部に噛み込ませて固定することができる。これにより、地震等の揺れによるブレース材の圧縮力（捻れ力）によってクランプ材に左右いずれかに回転力が加わった際でも、クランプ材が回転する際に吊りボルトのねじ部による溝部へのねじ切り作用が生じる。このねじ切り作用による抵抗により、クランプ材の回転が妨げられ、ブレース材は圧縮力（捻れ力）に抗することが可能となる。
【００１２】
この発明において、上記クランプ材の上面を上記上部構造体又は上記吊りボルトに螺合された上部ナットに当接させ、上記クランプ材の下面に上記吊りボルトに螺合されたロックナットを当接させるのが好ましい（請求項２）。
【００１３】
このように構成することにより、クランプ材の上下部を上部構造体又は上記吊りボルトに螺合された上部ナットとロックナットとで挟持・固定するので、クランプ材の上下移動を確実に防止することができる。
【００１４】
また、この発明において、上記クランプ材は上記吊りボルトよりも軟質の材料からなるのが好ましい（請求項３）。この場合、吊りボルトは一般に鋼製あるいはステンレス製部材にて形成されているので、クランプ材の材質としては、鋼あるいはステンレスよりも軟質な材料、例えばアルミニウム合金、真鍮あるいは合成樹脂（例えば、硬質塩化ビニル，ポリスチレン，ポリエチレン，ナイロン，ポリアセタール）等を使用することができる。なお、クランプ材には溝部が設けられるので、クランプ材をアルミニウム合金製押出形材にて形成するのが好ましい。その理由は、クランプ材をアルミニウム合金製押出形材にて形成することにより、クランプ材の長さを任意に加工することができ、ブレース材に作用する圧縮力（捻れ力）に対する抵抗力の調整が可能となるからである。
【００１５】
このように構成することにより、吊りボルトのねじ部のクランプ材への噛み込みを容易にすることができる。
【発明の効果】
【００１６】
この発明によれば、上記のように構成されているので、以下のような顕著な効果が得られる。
【００１７】
（１）請求項１に記載の発明によれば、地震等の揺れによるブレース材の圧縮力（捻れ力）によってクランプ材に左右いずれかに回転力が加わっても、クランプ材が回転する際に吊りボルトのねじ部による溝部へのねじ切り作用が生じ、このねじ切り作用による抵抗により、クランプ材の回転が妨げられ、ブレース材は圧縮力（捻れ力）に抗するので、耐震性の向上が図れる。
【００１８】
（２）請求項２に記載の発明によれば、クランプ材の上下部を上部構造体又は吊りボルトに螺合された上部ナットとロックナットとで挟持・固定して、クランプ材の上下移動を防止することができるので、上記（１）に加えて更に耐震性の向上が図れる。
【００１９】
（３）請求項３に記載の発明によれば、吊りボルトのねじ部のクランプ材への噛み込みを容易にすることができるので、上記（１），（２）に加えて更にクランプ材の回転阻止が確実となり、耐震性の向上が図れる。
【図面の簡単な説明】
【００２０】
【図１】この発明に係るブレース材の取付構造の第１実施形態の取付状態を示す側面図である。
【図２】図１のＩ部拡大側面図（ａ）及び（ａ）のII−II線に沿う一部断面図（ｂ）である。
【図３】この発明におけるクランプ材同士を締結する前の状態を示す拡大平面図（ａ）及びクランプ材と吊りボルトの接触状態を示す拡大断面図（ｂ）である。
【図４】上記クランプ材同士を締結した状態を示す拡大平面図（ａ）、上記クランプ材と吊りボルトの締結状態を示す拡大断面図（ｂ）及び上記クランプ材と吊りボルトの噛み込み状態を示す要部断面図（ｃ）である。
【図５】この発明における吊りボルト、ブレース材、接続プレート、クランプ材及びボルト、ナットを示す分解斜視図である。
【図６】この発明に係るブレース材の取付構造の第２実施形態の取付状態を示す側面図である。
【図７】図６のIII部を示す拡大側面図（ａ）及び（ａ）のIV−IV線に沿う断面図（ｂ）である。
【図８】この発明の第２実施形態におけるクランプ材同士を締結する前の状態を示す拡大平面図（ａ）及びクランプ材と吊りボルトの接触状態を示す拡大断面図（ｂ）である。
【図９】第２実施形態におけるクランプ材同士を締結した状態を示す拡大平面図（ａ）、上記クランプ材と吊りボルトの締結状態を示す拡大断面図（ｂ）及び上記クランプ材と吊りボルトの噛み込み状態を示す要部断面図（ｃ）である。
【図１０】この発明におけるクランプ材の上面を吊りボルトに螺合された上部ナットとロックナットとで挟持・固定した状態を示す拡大側面図である。
【発明を実施するための形態】
【００２１】
以下に、この発明を実施するための形態について、添付図面に基づいて詳細に説明する。
【００２２】
＜第１実施形態＞
図１に示すように、吊り天井は、上階床部や屋上スラブ等の上部構造体１から垂下されて天井部材２を吊り下げ支持する複数の鋼製あるいはステンレス製の吊りボルト３を備えており、所定の間隔をおいて垂下されたこれら吊りボルト３における隣接する一方の吊りボルト３の上端部と隣接する他方の吊りボルト３の下端部側の天井部材２にブレース材４が架設されている。
【００２３】
第１実施形態では、一つの吊りボルト３に対して隣接する両側の吊りボルト３の上端部と中央の吊りボルト３の下端部側の天井部材２にそれぞれブレース材４が架設されている。
【００２４】
この場合、天井部材２は、吊りボルト３の下端部に取り付けられる梁吊り金具５によって水平に支持される天井補強梁６と、天井補強梁６に取り付けられるパネル固定金具７によって水平状態に取り付けられる断熱性を有する天井パネル８とで構成されている。ブレース材４は天井補強梁６に固定されている。
【００２５】
上記ブレース材４は、図２に示すように、例えば、断面略Ｃ型のチャンネル材にて形成されており、ブレース材４の上端部の側片に固定ねじ９によって接続プレート１０が設けられている。接続プレート１０は、ブレース材４に固定される矩形状の固定部１１と、ブレース材４から突出する固定部１１の一辺からブレース材４の長手方向に延在する先端に円弧部を有する略三角状の取付部１２とからなり、取付部１２には後述するボルト３０を貫挿する貫通孔１３が設けられている。
【００２６】
上記吊りボルト３の上端部には、吊りボルト３と接続プレート１０を挟持する一対のクランプ材２０が、ボルト３０及びナット４０の締結によって取り付けられる。
【００２７】
クランプ材２０は、吊りボルト３と当接する面の中央に断面半円弧状の溝部２１を有する矩形板状に形成されており、溝部２１に関して左右の対称位置にはボルト３０の挿通孔２２が設けられている。この場合、図３に示すように、溝部２１の曲率半径Ｒ2は吊りボルト３の曲率半径Ｒ1よりも小さく形成されている。
【００２８】
このように、溝部２１の曲率半径Ｒ2を吊りボルト３の曲率半径Ｒ1よりも小さく形成することにより、一対のクランプ材２０間に吊りボルト３と接続プレート１０を挟持し、ボルト３０及びナット４０を締結すると、溝部２１の両開口縁と吊りボルト３のねじ部３ａとが接触し、噛み込みが生じる。
【００２９】
なお、噛み込みを生じさせるために、クランプ材２０が吊りボルト３を挟持して溝部２１の開口縁部が吊りボルト３に接触した際のクランプ材２０同士の隙間Ｓは、接続プレート１０の厚さＴよりも大きく形成されている（図３（ａ）参照）。
【００３０】
上記のように形成されるクランプ材２０は、鋼製あるいはステンレス製の吊りボルト３より軟質の材料であるアルミニウム合金（具体的には、合金番号６０６１−Ｔ６，６０６３−Ｔ５，６Ｎ０１−Ｔ５等の耐食性合金）製押出形材にて形成されている。ここで、Ｔ５は、高温加工から冷却後人工時効硬化処理したものを意味し、Ｔ６は、溶体化処理後焼入れし、人工時効硬化処理したものを意味する。なお、クランプ材２０の表面に酸化被膜を施す方がよい。酸化被膜は不導体であるため、鋼製あるいはステンレス製の吊りボルト３との電位差による電気腐食を防止することが可能となる。
【００３１】
また、吊りボルト３の上端部に取り付けられるクランプ材２０の上面は上部構造体１の下面に当接され、クランプ材２０の下面には、吊りボルト３に螺合されるロックナット６０が当接されている。
【００３２】
上記のように構成された吊りボルト３とブレース材４とを取り付けるには以下のようにして行うことができる。まず、両クランプ材２０の溝部２１間に吊りボルト３を位置させると共に、両クランプ材２０の溝部２１に対して一方の側片部間に接続プレート１０の取付部１２を位置させて両クランプ材２０を対峙させる。なお、両クランプ材２０の溝部２１に対して他方の側片部間に座金あるいは角座やリング状のスペーサ（図では座金５０を示す）を介在させる。この状態においては、クランプ材２０が吊りボルト３を挟持して溝部２１の開口縁部が吊りボルト３に接触した際のクランプ材２０同士の隙間Ｓは、接続プレート１０の厚さＴよりも大きくなっている（図３（ａ）参照）。
【００３３】
上記のようにして、両クランプ材２０間に吊りボルト３と接続プレート１０を挟持した状態で、クランプ材２０の一方の側片部において、ボルト３０を、座金５０ａを介在してクランプ材２０の挿通孔２２と接続プレート１０の挿通孔１３に挿通し、ボルト３０の突出部に座金５０ｂを介在してナット４０を締結する。また、クランプ材２０の他方の側片部において、ボルト３０を、座金５０ｃを介在してクランプ材２０の挿通孔２２と座金５０の挿通孔５１に挿通し、ボルト３０の突出部に座金５０ｄを介在してナット４０を締結する。
【００３４】
上記のように、ボルト３０及びナット４０によりクランプ材２０同士を締結することで、溝部２１の両開口縁部に吊りボルト３のねじ部３ａを噛み込ませて、吊りボルト３とブレース材４を固定する。これにより、地震等の揺れによるブレース材の圧縮力（捻れ力）によってクランプ材２０に左右いずれかに回転力が加わっても、クランプ材２０が回転する際に吊りボルト３のねじ部３ａによる溝部２１へのねじ切り作用が生じる。このねじ切り作用による抵抗により、クランプ材２０の回転が妨げられ、ブレース材４は圧縮力（捻れ力）に抗することが可能となる。
【００３５】
なお、ボルト３０とナット４０を締結する前に、これらボルト３０とナット４０を仮締めして、両クランプ材２０が吊りボルト３に対して移動可能な状態にしてクランプ材２０の上面を上部構造体１の下面に当接させる。そして、ボルト３０及びナット４０によりクランプ材２０同士を締結した後、クランプ材２０の下面に吊りボルト３に螺合されたロックナット６０を当接させる。これにより、クランプ材２０の上下部を上部構造体１とロックナット６０とで挟持・固定するので、クランプ材２０の上下移動を防止することができる。
【００３６】
＜第２実施形態＞
第２実施形態は、吊りボルト３の上端部の両側にブレース材４を取り付けるようにした場合である。すなわち、第２実施形態は、図６及び図７に示すように、互いに隣接する複数の吊りボルト３のうちの一つの吊りボルト３の上端部と隣接する両側の吊りボルトの下端部側の天井部材２にそれぞれブレース材４を架設した構造である。
【００３７】
この場合、両クランプ材２０の溝部２１間に吊りボルト３を位置させると共に、両クランプ材２０の溝部２１に対して両方の側片部間に接続プレート１０の取付部１２を位置させて両クランプ材２０を対峙させる。この状態においては、上述したように、クランプ材２０が吊りボルト３を挟持して溝部２１の開口縁部が吊りボルト３に接触した際のクランプ材２０同士の隙間Ｓは、接続プレート１０の厚さＴよりも大きくなっている（図８（ａ）参照）。
【００３８】
上記のようにして、両クランプ材２０間に吊りボルト３と接続プレート１０を挟持した状態で、クランプ材２０の両方の側片部において、それぞれボルト３０を、座金５０ａ，５０ｃを介在してクランプ材２０の挿通孔２２と接続プレート１０の挿通孔１３に挿通し、ボルト３０の突出部に座金５０ｂ，５０ｄを介在してナット４０を締結する。
【００３９】
上記のように、ボルト３０及びナット４０によりクランプ材２０同士を締結することで、溝部２１の両開口縁部に吊りボルト３のねじ部３ａを噛み込ませて、吊りボルト３とブレース材４を固定する。これにより、地震等の揺れによるブレース材の圧縮力（捻れ力）によってクランプ材２０に左右いずれかに回転力が加わっても、クランプ材２０が回転する際に吊りボルト３のねじ部３ａによる溝部２１へのねじ切り作用が生じる。このねじ切り作用による抵抗により、クランプ材２０の回転が妨げられ、ブレース材４は圧縮力（捻れ力）に抗することが可能となる。
【００４０】
なお、第２実施形態においても、ボルト３０とナット４０を締結する前に、これらボルト３０とナット４０を仮締めして、両クランプ材２０が吊りボルト３に対して移動可能な状態にしてクランプ材２０の上面を上部構造体１の下面に当接させる。そして、ボルト３０及びナット４０によりクランプ材２０同士を締結した後、クランプ材２０の下面に吊りボルト３に螺合されたロックナット６０を当接させる。これにより、クランプ材２０の上下部を上部構造体１とロックナット６０とで挟持・固定するので、クランプ材２０の上下移動を防止することができる。
【００４１】
なお、第２実施形態において、その他の部分は第１実施形態と同じであるので、同一部分には同一符号を付して説明は省略する。
【００４２】
＜その他の実施形態＞
上記実施形態では、クランプ材２０の上面を上部構造体１の下面に当接させ、クランプ材２０の下面に吊りボルト３に螺合されたロックナット６０を当接させる場合について説明したが、必ずしもこのような構造である必要はない。例えば、図１０に示すように、クランプ材２０の上面を吊りボルト３に螺合された上部ナット７０に当接させ、クランプ材２０の下面に吊りボルト３に螺合されたロックナット６０を当接させた構造としてもよい。
【００４３】
このように構成することにより、クランプ材２０の上下部をそれぞれ吊りボルト３に螺合された上部ナット７０とロックナット６０とで挟持・固定するので、クランプ材２０の上下移動を確実に防止することができる。
【００４４】
また、上記実施形態では、クランプ材２０がアルミニウム合金製押出形材にて形成される場合について説明したが、クランプ材２０は、吊りボルト３を形成する鋼あるいはステンレスよりも軟質な材料で強度を有するものであれば任意の材料でよく、例えば真鍮あるいは合成樹脂（例えば、硬質塩化ビニル，ポリスチレン，ポリエチレン，ナイロン，ポリアセタール）等にてクランプ材２０を形成してもよい。
【００４５】
上記のように構成される実施形態のブレースの取付構造によれば、地震等の揺れによるブレース材４の圧縮力（捻れ力）によってクランプ材２０に左右いずれかに回転力が加わっても、クランプ材２０が回転する際に吊りボルト３のねじ部３ａによる溝部２１へのねじ切り作用が生じ、このねじ切り作用による抵抗により、クランプ材２０の回転が妨げられ、ブレース材４は圧縮力（捻れ力）に抗するので、耐震性の向上が図れる。
【００４６】
また、クランプ材２０の上下部を上部構造体１又は吊りボルト３に螺合された上部ナット７０とロックナット６０とで挟持・固定することで、クランプ材２０の上下移動を確実に防止することができるので、更に耐震性の向上が図れる。
【００４７】
また、クランプ材２０を、吊りボルト３を形成する鋼あるいはステンレスよりも軟質な材料で強度を有する材料、例えばアルミニウム合金、真鍮あるいは合成樹脂（例えば、硬質塩化ビニル，ポリスチレン，ポリエチレン，ナイロン，ポリアセタール）等にて形成することにより、吊りボルト３のねじ部３ａのクランプ材２０への噛み込みを容易にすることができるので、更にクランプ材２０の回転阻止が確実となり、耐震性の向上が図れる。
【符号の説明】
【００４８】
１  上部構造体
２  天井部材
３  吊りボルト
３ａ  ねじ部
４  ブレース材
１０  接続プレート
２０  クランプ材
２１  溝部
３０  ボルト
４０  ナット
６０  ロックナット
７０  上部ナット
Ｒ１  吊りボルトの曲率半径
Ｒ２  溝部の曲率半径
Ｓ  クランプ材同士の隙間
Ｔ  接続プレートの厚さ
【図１】
2015206221.tif 000003
【図２】
2015206221.tif 000004
【図３】
2015206221.tif 000005
【図４】
2015206221.tif 000006
【図５】
2015206221.tif 000007
【図６】
2015206221.tif 000008
【図７】
2015206221.tif 000009
【図８】
2015206221.tif 000010
【図９】
2015206221.tif 000011
【図１０】
2015206221.tif 000012